(57)【要約】【課題】シャッター装置を有するカートにおいて、シャッター装置の開きが不完全となるのを防止する。【解決手段】上下方向に沿う矩形状の開口部を有するカート本体と、カート本体を移動自在に支持する複数のキャスターと、を備えるカートであって、カート本体は、開口部を開閉するシャッター装置１０を有し、シャッター装置１０は、開口部の幅方向Ｗに延在するケーシング１７と、ケーシング１７によって支持され、コイルスプリングの捩じりによる回転付勢力を発生する巻取軸１８と、巻取軸１８に巻き付けられて、ケーシング１７の下方に延びるシャッター布２０と、シャッター布２０の先端に取り付けられて、幅方向Ｗに延在するボトムバー２１と、ボトムバー２１の上部に設けられた磁石４０と、ケーシング１７の下部であって上方から見て磁石４０と同じ位置に設けられ、磁性体によって形成されている磁石受け部４８と、を有するカートを提供する。【選択図】図４
2018135059.tif 000002
【特許請求の範囲】
【請求項１】
上下方向に沿う矩形状の開口部を有するカート本体と、
前記カート本体を移動自在に支持する複数のキャスターと、を備えるカートであって、
前記カート本体は、前記開口部を開閉するシャッター装置を有し、
前記シャッター装置は、
前記開口部の幅方向に延在するケーシングと、
前記ケーシングによって支持され、コイルスプリングの捩じりによる回転付勢力を発生する巻取軸と、
前記巻取軸に巻き付けられて、前記ケーシングの下方に延びるシャッター布と、
前記シャッター布の先端に取り付けられて、前記幅方向に延在するボトムバーと、
前記ボトムバーの上部に設けられた磁石と、
前記ケーシングの下部であって上方から見て前記磁石と同じ位置に設けられ、磁性体によって形成されている磁石受け部と、を有するカート。
【請求項２】
前記磁石は、前記ボトムバーの前記幅方向の両端部に配置されている請求項１に記載のカート。
【発明の詳細な説明】
【技術分野】
【０００１】
本発明は、カートに関する。
【背景技術】
【０００２】
従来、コイルスプリングを駆動源とする巻取軸にシャッター布を巻き付けると共に、シャッター布の先端に開閉操作用のボトムバーを取り付け、シャッター布を自動的に巻取るようにしたシャッター装置を有するカートは、広く知られている（例えば、特許文献１参照。）。
【先行技術文献】
【特許文献】
【０００３】
【特許文献１】実開昭６３−９９３４号公報
【発明の概要】
【発明が解決しようとする課題】
【０００４】
ところで、上記従来のカートのシャッター装置においては、コイルスプリングの付勢力が弱い場合等に、シャッター布が完全に巻き上げられないという課題がある。これにより、ボトムバーが水平方向に対して斜めになったり、カートの開口部が完全に開かなかったりするため、改善する必要がある。
【０００５】
この発明は、シャッター装置を有するカートにおいて、シャッター装置の開きが不完全となるのを防止することができるカートを提供することを目的とする。
【課題を解決するための手段】
【０００６】
本発明の第一の態様によれば、カートは、上下方向に沿う（前後方向Ｆを向く）矩形状の開口部を有するカート本体と、前記カート本体を移動自在に支持する複数のキャスターと、を備えるカートであって、前記カート本体は、前記開口部を開閉するシャッター装置を有し、前記シャッター装置は、前記開口部の幅方向に延在するケーシングと、前記ケーシングによって支持され、コイルスプリングの捩じりによる回転付勢力を発生する巻取軸と、前記巻取軸に巻き付けられて、前記ケーシングの下方に延びるシャッター布と、前記シャッター布の先端に取り付けられて、前記幅方向に延在するボトムバーと、前記ボトムバーの上部に設けられた磁石と、前記ケーシングの下部であって上方から見て前記磁石と同じ位置に設けられ、磁性体によって形成されている磁石受け部と、を有する。
【０００７】
このような構成によれば、ボトムバーに設けた磁石と、ケーシングに設けられた磁石受け部とが吸着することによって、シャッター装置の開きが不完全となるのを防止することができる。
【０００８】
上記カートにおいて、前記磁石は、前記ボトムバーの前記幅方向の両端部に配置されていてよい。
このような構成によれば、ボトムバーの両端を確実に吸着させることができる。
【発明の効果】
【０００９】
本発明によれば、ボトムバーに設けた磁石と、ケーシングに設けられた磁石受け部とが吸着することによって、シャッター装置の開きが不完全となるのを防止することができる。
【図面の簡単な説明】
【００１０】
【図１】本発明の実施形態のカートの正面図である。
【図２】本発明の実施形態のカートの側面図である。
【図３】図１のＩＩＩ−ＩＩＩ断面図であり、シャッター装置を上方から見た断面図である。
【図４】図３のＩＶ−ＩＶ断面図であり、シャッター装置を前方から見た断面図である。
【図５】シャッター装置の側断面図である。
【発明を実施するための形態】
【００１１】
以下、本発明の実施形態のカート１について図面を参照して詳細に説明する。
図１に示すように、本実施形態のカート１は、上下方向Ｖに沿う一対の矩形状の開口部４を有するカート本体２と、カート本体２を移動自在に支持する４つのキャスター３（車輪）と、を備えている。
【００１２】
カート本体２は、内部空間を有する直方体形状の部位であり、矩形状のベース部６と、四本の支柱レール７と、一対の側壁部８と、矩形状の天板部９と、カート本体２の開口部４を開閉するシャッター装置１０と、カート本体２の内部空間に設けられている棚部１１と、を有している。
カート本体２の一対の開口部４は、前後方向Ｆに面している。
シャッター装置１０は、幅方向Ｗに長い装置であり、カート本体２の天板部９の前端及び後端に取り付けられている。
以下、シャッター装置１０のシャッター布２０に直交する方向を前後方向Ｆと呼び、これに直交する水平方向を幅方向Ｗと呼ぶ。
【００１３】
ベース部６は、矩形状の部材である。ベース部６は、４つのキャスター３によって支持されている。キャスター３はベースの四隅に配置されている。ベース部６は、木製の板によって形成されている。ベース部６を構成する材料はこれに限ることはなく、ベース部６を金属によって形成してもよい。また、キャスター３の数もこれに限ることはなく、３つのキャスター３を用いてカート本体２を支持する構成としてもよい。
【００１４】
支柱レール７は、ベース部６の四隅から上方に延在する柱状の部材である。支柱レール７は金属によって形成されている。支柱レール７を構成する材料はこれに限ることはない。
天板部９は、支柱レール７の上端に接続されている矩形状の部材である。
【００１５】
側壁部８は前後方向Ｆに沿う壁面である。側壁部８は、前方の支柱レール７と後方の支柱レール７との間に配置されている。側壁部８は、樹脂によって形成されている。側壁部８を構成する材料はこれに限ることはなく、例えば、側壁部８を金属によって形成してもよい。
【００１６】
棚部１１は、上下方向Ｖに延びる柱部１３と、柱部１３に取り付けられている複数の支持部材１４と、支持部材１４によって下方から支持されている棚部本体１５と、を有している。
柱部１３は、天板部９とベース部６とにわたって上下方向Ｖに延在している柱状の部材である。柱部１３は、カート本体２の内部空間であって、四本の支柱レール７近傍及び、前方の支柱レール７と後方の支柱レール７との中間に設けられている。
支持部材１４は、棚部本体１５を支持する部材であり、柱部１３に固定されている。支持部材１４は、柱部１３から幅方向Ｗの内側に突出するように形成されている。支持部材１４は、柱部１３に例えばネジによって締結されている。
【００１７】
棚部本体１５は、金属ワイヤーを組み合わせることによって形成されている板状の部材である。棚部本体１５の数、上下に隣り合う棚部本体１５同士の間隔も適宜変更することができる。
棚部本体１５の構成は上記したものに限ることはなく、例えば、樹脂の板によって棚部本体１５を形成してもよい。
【００１８】
図３、図４、及び図５に示すように、シャッター装置１０は、ケーシング１７と、ケーシング１７によって支持されている巻取軸１８と、ガイドロール１９と、巻取軸１８によって巻き取られるシャッター布２０と、シャッター布２０の先端に取り付けられているボトムバー２１と、を備えている。
【００１９】
ケーシング１７は、幅方向Ｗに延在する矩形状の底面１７ａと、底面１７ａの前後方向Ｆの一端から上方に突出するように形成されている背面１７ｂと、底面１７ａの幅方向Ｗの両端から上方に突出するように形成されている一対の側面１７ｃとを有している。底面１７ａと背面１７ｂと一対の側壁面１７ｃとは一体に形成する必要はない。
ケーシング１７の側面１７ｃには、巻取軸１８を支持する巻取軸支持部２３と、ガイドロール１９を回転可能に支持するガイドロール支持部２４とが形成されている。巻取軸支持部２３とガイドロール支持部２４とは、巻取軸１８及びガイドロール１９が幅方向Ｗに延在するとともに、巻取軸１８とガイドロール１９とが互いに平行となるように、巻取軸１８とガイドロール１９とを支持する。
図５に示すように、シャッター布２０は、底面１７ａの前縁２５の際を通過して下方に延ばされる。
【００２０】
巻取軸１８は、円筒形状の巻取軸本体２６と、巻取軸本体２６に内蔵された自動巻取ユニット２７と、を有している。
自動巻取ユニット２７は、巻取軸支持部２３に固定されている支持軸２８，２９と、サイドキャップ３０，３１と、コイルスプリング３２と、ガイド芯棒３３と、スプリング受け３４と、を有している。サイドキャップ３０，３１には、幅方向Ｗに延在する貫通孔３６が形成されている。
【００２１】
支持軸２８，２９は、ケーシング１７の巻取軸支持部２３に固定されている円柱状の部材である。
サイドキャップ３０，３１は、幅方向Ｗの一方が巻取軸本体２６に回転不能に嵌合しており、幅方向Ｗの他方が支持軸２８，２９に回転可能に取り付けられている。支持軸２８，２９は、サイドキャップ３０，３１の貫通孔３６に挿通されている。
【００２２】
サイドキャップの幅方向Ｗの一方側には、コイルスプリング３２を受けるスプリング受け部３５が形成されている。コイルスプリング３２の端部は、スプリング受け部３５に固定されている。
スプリング受け３４は、巻取軸本体２６の中間部に固定されている。コイルスプリング３２の端部は、スプリング受け３４に固定されている。スプリング受け３４は、サイドキャップ３０，３１のスプリング受け部３５と協働してコイルスプリング３２を保持する。
【００２３】
シャッター装置１０では、シャッター布２０を導出することにより、スプリング受け３４が巻取軸本体２６とともに回転してコイルスプリング３２を捩じり、その捩じりの復帰力による回転付勢力が、巻取軸１８がシャッター布２０を巻き取る駆動力となる。なお、シャッター装置１０によりシャッター布２０を巻き取る機構は、上述のものに限らず、任意の機構のものを用いることができる。
【００２４】
ガイドロール１９は、巻取軸１８と平行に配置されている円柱状の部材である。ガイドロール１９の両端は、ガイドロール支持部２４に支持されている。ガイドロール１９は、巻取軸１８の前方であって、巻取軸１８のやや上方に配置されている。
【００２５】
ボトムバー２１は、角筒状のボトムバーケーシング３７と、ボトムバーケーシング３７の両端に取り付けられている一対のボトムバーキャップ３８と、ボトムバーケーシング３７の下面に設けられている２つの第一磁石３９と、ボトムバーケーシング３７の上面に設けられている２つの第二磁石４０（磁石）とを、有している。即ち第二磁石４０は、ボトムバー２１の上部に設けられている。
【００２６】
ボトムバーケーシング３７は、金属によって形成されている。ボトムバーケーシング３７の下面には、第一磁石３９を露出させるための２つの第一磁石開口部４１が形成されている。第一磁石開口部４１には、第一磁石ブラケット４２が設けられている。第一磁石ブラケット４２は、ボトムバーケーシング３７の下面と平行に配置されている第一磁石取り付け板４３と、第一磁石取り付け板４３をボトムバーケーシング３７の下面に固定するサポート４４と、を有している。
【００２７】
ボトムバーキャップ３８は、ボトムバーケーシング３７の端部に挿入されるボトムバーキャップ本体４６と、ボトムバーキャップ本体４６から幅方向Ｗの外側に突出するシャッター接続部４７と、を有している。
【００２８】
第一磁石３９は、直方体形状をなし、ボトムバーケーシング３７の下面に形成されている２つの第一磁石開口部４１から、下部を露出させるように固定されている。第一磁石３９は、第一磁石ブラケット４２を介してボトムバーケーシング３７に固定されている。
【００２９】
第二磁石４０は、板状をなし、ボトムバーケーシング３７の上壁３７ａの下面に取り付けられている。第二磁石４０は第二磁石４０の主面とボトムバーケーシング３７の上壁３７ａとが平行をなすように取り付けられている。第二磁石４０は、ボトムバーケーシング３７の幅方向Ｗの両端近傍に固定されている。
第二磁石４０は、接着によってボトムバーケーシング３７に固定されている。第二磁石４０の固定方法はこれに限ることはなく、例えばネジを用いて第二磁石４０を固定してもよい。
【００３０】
第二磁石４０は、ネオジム磁石のような強力な磁力を持つ磁石を用いることが好ましい。
第二磁石４０の数は２つに限ることはない。例えば、３つ以上の第二磁石４０をボトムバーケーシング１７に固定してもよいし、単一の第二磁石４０をボトムバーケーシング１７の中央に固定してもよい。
【００３１】
ケーシング１７の下壁１７ａの下面であって、上方から見て第二磁石４０と同じ位置には、２つの金属板４８（磁石受け部）が取り付けられている。即ち、金属板４８は、ケーシング１７の下部に設けられている。金属板４８は、皿ネジ４９によってケーシング１７に固定されている。金属板４８には、皿ネジ４９の頭部に対応して、皿ザグリが形成されている。
金属板４８は、フェライト系ステンレス鋼（ＳＵＳ４３０）によって形成されている。金属板４８を形成する金属はこれに限ることはなく、磁性を有する金属であればよい。
２つの金属板４８の幅方向Ｗの位置は、２つの第二磁石４０の位置に対応している。
【００３２】
ベース部６の上面にも第一磁石３９に対応して金属板が取り付けられている。ベース部６自体を磁性体を有する材料で形成して、金属板を省略してもよい。
【００３３】
図３に示すように、支柱レール７には、ボトムバー２１のボトムバーキャップ３８をガイドするレール部５１が形成されている。レール部５１は、支柱レール７の内側壁７ａから幅方向Ｗの外側に凹むように形成され、上下方向Ｖに延在している。
【００３４】
上記の構成のカート１では、棚部１１に、例えば、食品等を載置して搬送することができる。
また、シャッター装置１０を用いて、カート本体２の開口部４を閉鎖することができる。具体的には、カート１のシャッター装置１０は、巻取軸１８に内蔵されたコイルスプリング３２の回転付勢力に抗してボトムバー２１を操作することにより、シャッター布２０を引き出すことができる。
【００３５】
ボトムバー２１の第一磁石３９とベース部６に設けられた金属板４８とを吸着させることにより、シャッター布２０に常に張力をかけた状態で、開口部４を閉塞することができる。
【００３６】
シャッター装置１０を開状態にする際は、ボトムバー２１の第二磁石４０と、ケーシング１７に取り付けられた金属板４８とが吸着する。これにより、シャッター装置１０の開きが不完全となるのを防止される。即ち、コイルスプリング３２の付勢力が弱い場合等に、シャッター布２０が完全に巻き上げられないことを回避することができる。これにより、ボトムバー２１が水平方向に対して斜めになったり、カート１の開口部４が完全に開かなかったりすることを防止することができる。
【００３７】
上記実施形態によれば、ボトムバー２１に設けた第二磁石４０と、ケーシング１７に設けられた金属板４８とが吸着することによって、シャッター装置１０の開きが不完全となるのを防止することができる。
【００３８】
また、第二磁石４０がボトムバー２１に両端部に配置されていることによって、ボトムバー２１の両端を確実に吸着させることができる。
【００３９】
以上、本発明の実施の形態について図面を参照して詳述したが、具体的な構成はこの実施の形態に限られるものではなく、本発明の要旨を逸脱しない範囲の設計変更等も含まれる。
なお、上記実施形態のカート１では、カート本体２の前面及び後面の開口部４にシャッター装置１０を設けたが、これに限ることはなく、前面のみにシャッター装置１０を設ける構成としてもよい。例えば、前面にシャッター装置１０を設け、後面に扉を設ける構成としてもよい。
【符号の説明】
【００４０】
１  カート
２  カート本体
３  キャスター
４  開口部
６  ベース部
７  支柱レール
８  側壁部
９  天板部
１０  シャッター装置
１１  棚部
１３  柱部
１４  支持部材
１５  棚部本体
１７  ケーシング
１７ａ  底面
１７ｂ  背面
１７ｃ  側面
１８  巻取軸
１９  ガイドロール
２０  シャッター布
２１  ボトムバー
２３  巻取軸支持部
２４  ガイドロール支持部
２５  前縁
２６  巻取軸本体
２７  自動巻取ユニット
２８  支持軸
２９  支持軸
３０  サイドキャップ
３１  サイドキャップ
３２  コイルスプリング
３３  ガイド芯棒
３４  スプリング受け
３５  スプリング受け部
３６  貫通孔
３７  ボトムバーケーシング
３７ａ  上壁
３８  ボトムバーキャップ
３９  第一磁石
４０  第二磁石（磁石）
４１  第一磁石開口部
４２  第一磁石ブラケット
４３  第一磁石取り付け板
４４  サポート
４６  ボトムバーキャップ本体
４７  シャッター接続部
４８  金属板（磁石受け部）
５１  レール部
Ｆ  前後方向
Ｖ  上下方向
Ｗ  幅方向
【図１】
2018135059.tif 000003
【図２】
2018135059.tif 000004
【図３】
2018135059.tif 000005
【図４】
2018135059.tif 000006
【図５】
2018135059.tif 000007